(57)【要約】【課題】番組情報の取得を効率良く実施することができる放送受信装置を提供する。【解決手段】放送受信装置１００において、取得手段は、予め定められた番組情報取得時刻に番組情報の取得処理を実施し、記憶手段は取得手段による番組情報の取得の可否を番組情報取得時刻と対応づけて記憶し、算出手段は、所定の条件を満たした場合に、記憶手段に基づいて、番組情報の取得が可能であった取得成功率を算出し、判定手段は算出された取得成功率が所定の閾値未満であるか否かを判定し、変更手段は、取得成功率が所定の閾値未満であると判定された場合に、番組情報取得時刻を変更する。【選択図】図１
2010187040.tif 000002
【特許請求の範囲】
【請求項１】
番組データと番組情報とが多重化されたデジタル放送信号を受信する受信手段を備える放送受信装置において、
予め定められた番組情報取得時刻に、前記番組情報の取得処理を実施する取得手段と、
前記取得手段による番組情報の取得の可否を、前記番組情報取得時刻と対応づけて記憶する記憶手段と、
所定の条件を満たした場合に、前記記憶手段に基づいて、番組情報の取得が可能であった確率を算出する算出手段と、
前記算出手段により算出された前記確率が所定の閾値未満であるか否かを判定する判定手段と、
前記判定手段により前記確率が所定の閾値未満であると判定された場合に、前記番組情報取得時刻を変更する変更手段と、
を備えることを特徴とする放送受信装置。
【請求項２】
前記算出手段により算出された前記確率と、当該確率に対応する番組情報取得時刻と、を対応付けて記憶する確率記憶手段を備え、
前記変更手段は、前記判定手段により前記確率が所定の閾値未満であると判定される度に、前記番組情報取得時刻を所定時間ずらすとともに、前記判定手段により前記確率が所定の閾値未満であると判定された回数が連続して２４／所定時間（回）に達した場合に、前記確率記憶手段により記憶された２４／所定時間（回）の前記確率の中で、最も前記確率が高い前記番組情報取得時刻に変更することを特徴とする請求項１に記載の放送受信装置。
【請求項３】
前記算出手段は、前記番組情報取得時刻が所定回数経過する度に、所定回数の前記番組情報取得時刻において番組情報の取得が可能であった前記確率を算出することを特徴とする請求項１又は２に記載の放送受信装置。
【請求項４】
前記算出手段は、デジタル放送信号の受信レベルが所定のレベル未満のチャンネルの番組情報の取得の可否は、前記確率の算出に際して除外することを特徴とする請求項１〜３の何れか一項に記載の放送受信装置。
【請求項５】
前記取得手段は、前記番組情報の取得処理を一日に一回実施し、
前記所定回数は、７×Ｎ（Ｎは自然数）回であることを特徴とする請求項１〜４の何れか一項に記載の放送受信装置。
【請求項６】
番組データと番組情報とが多重化されたデジタル放送信号を受信する受信手段を備える放送受信装置において、
一日に一回の予め定められた番組情報取得時刻に、前記番組情報の取得処理を実施する取得手段と、
前記取得手段による番組情報の取得の可否を、前記番組情報取得時刻と対応づけて記憶する記憶手段と、
前記番組情報取得時刻が所定回数経過する度に、前記記憶手段に基づいて、所定回数の前記番組情報取得時刻において番組情報の取得が可能であった確率を算出する算出手段と、
前記算出手段により算出された前記確率が所定の閾値未満であるか否かを判定する判定手段と、
前記判定手段により前記確率が所定の閾値未満であると判定された場合に、前記番組情報取得時刻を変更する変更手段と、
前記算出手段により算出された前記確率と、当該確率に対応する番組情報取得時刻と、を対応付けて記憶する確率記憶手段と、
を備え、
前記算出手段は、デジタル放送信号の受信レベルが所定のレベル未満のチャンネルの番組情報の取得の可否は、前記確率の算出に際して除外し、
前記変更手段は、前記判定手段により前記確率が所定の閾値未満であると判定される度に、前記番組情報取得時刻を所定時間ずらすとともに、前記判定手段により前記確率が所定の閾値未満であると判定された回数が連続して２４／所定時間（回）に達した場合に、前記確率記憶手段により記憶された２４／所定時間（回）の前記確率の中で、最も前記確率が高い前記番組情報取得時刻に変更し、
前記所定回数は、７×Ｎ（Ｎは自然数）回であることを特徴とする放送受信装置。
【発明の詳細な説明】
【技術分野】
【０００１】
本発明は、放送受信装置に関する。
【背景技術】
【０００２】
デジタルテレビジョン放送の放送信号には、映像データや音声データとともに、ＡＲＩＢ（Association of Radio Industries and Business: 社団法人電波産業会）の規格に規定されたＳＩ（Service Information: 番組配列情報）と呼ばれる番組情報が多重されている。番組情報には、番組名や放送日時、番組概要等の様々な情報が含まれており、放送受信装置においてＥＰＧ（Electronic Program Guide：電子番組ガイド）としてユーザに提供される。ユーザは、ＥＰＧを利用して、多チャンネルの中から視聴番組の選択や番組検索、視聴予約、録画予約等を効率良く行うことができる。
【０００３】
こうした番組情報は、各放送局が送出する放送信号に周期的に付帯されて送信されているが、番組情報の送出周期や番組情報取得のタイミングによっては、番組情報の取得に時間がかかり、ユーザがＥＰＧの表示要求を行ったときに直ちにＥＰＧを提示することができない可能性がある。
とくに、地上デジタルテレビジョン放送では、各放送局が自局の番組情報（ＳＩ）のみを放送信号に多重する各局ＳＩ方式が採用されているため、放送受信装置が番組情報を取得する場合には、チューナにより各放送チャンネルを順に選局して、各局の番組情報（ＳＩ）を放送チャンネル毎に個別に取得しなければならず、ＥＰＧの表示要求を受けてからＥＰＧを表示するまでに更に時間を要することとなる。
【０００４】
そこで、予め番組情報を取得して記憶手段に記憶しておく放送受信装置が知られている（例えば、特許文献１参照）。このような放送受信装置では、ユーザがＥＰＧの表示要求を行ったときに、予め記憶手段に記憶されている番組情報に基づいて、すみやかにＥＰＧを提示することができる。
【０００５】
ところが、番組情報はチューナにより選局された放送チャンネルの放送信号の中から抽出されるため、装置の主電源がオフされている間は、チューナが稼動せず、番組情報の取得は不可能である。
また、上述したように、地上デジタルテレビジョン放送では各放送局が自局の番組情報（ＳＩ）だけを放送信号に多重する各局ＳＩ方式が採られているため、番組情報の取得時には、チューナが全放送チャンネルを選局して、各局の番組情報（ＳＩ）を個別に取得しなければならない。そのため、視聴者が番組を視聴している間は、チューナにより他局の放送チャンネルを選局することができず、全ての番組情報を取得することができない。
【０００６】
さらに、昨今では、放送局側が省エネの目的で、番組休止中に、放送波の完全停波を行う場合がある。放送波自体が完全に停波されている間は、番組情報の取得も不可能であるため、完全停波が行われる時間帯を避けて番組情報を取得する必要がある。
上述した番組情報の取得が不可能なタイミングに番組情報の自動取得が実施されると、電力が無駄に消費されてしまうこととなる。
【０００７】
そのため、電力の無駄な消費を防止して、番組情報の取得を確実且つ効率良く行うためには、放送受信装置の仕様として、視聴者が番組を視聴していないスタンバイ待機中であり、且つ、放送波の完全停波が行われていないタイミングで、番組情報の取得処理が実施されることが好ましい。
【０００８】
しかしながら、視聴者の視聴時間は視聴者によって様々であり、また、放送波の完全停波の時間帯も放送局や日によって異なる。そのため、現状では、放送受信装置の仕様として、視聴者が番組を視聴しておらず、且つ、放送波の完全停波が行われていないタイミングを想定して、番組情報の自動取得を確実に且つ効率良く実施することは困難であるという問題があった。
【０００９】
そこで、番組情報の取得が可能であった時刻を履歴に記憶し、取得した番組情報のなかの最も後に放送される番組の終了時刻から所定時間前の範囲内で、履歴において最もよく番組情報を取得できた時刻を番組情報の自動取得の開始タイミングと決定する放送受信装置が提案されている（例えば、特許文献２参照）。
【先行技術文献】
【特許文献】
【００１０】
【特許文献１】特開２００２−１４２１６３号公報
【特許文献２】特開２００６−１６５６７５号公報
【発明の概要】
【発明が解決しようとする課題】
【００１１】
ところが、特許文献２の放送受信装置では、番組情報の取得が可能であった時刻に関する履歴をとらなければ、適切なタイミングを番組情報の自動取得のタイミングとして決定できないため、履歴を蓄積して自動取得のタイミングを決定するまでに時間がかかり、番組情報の自動取得のタイミングを決定する方法として効率的ではないという問題があった。
【００１２】
本発明の課題は、番組情報の取得を、より確実に効率良く実施することができる放送受信装置を提供することである。
【課題を解決するための手段】
【００１３】
上記課題を解決するため、請求項１に記載の発明は、番組データと番組情報とが多重化されたデジタル放送信号を受信する受信手段を備える放送受信装置において、
予め定められた番組情報取得時刻に、前記番組情報の取得処理を実施する取得手段と、
前記取得手段による番組情報の取得の可否を、前記番組情報取得時刻と対応づけて記憶する記憶手段と、
所定の条件を満たした場合に、前記記憶手段に基づいて、番組情報の取得が可能であった確率を算出する算出手段と、
前記算出手段により算出された前記確率が所定の閾値未満であるか否かを判定する判定手段と、
前記判定手段により前記確率が所定の閾値未満であると判定された場合に、前記番組情報取得時刻を変更する変更手段と、
を備えることを特徴とする放送受信装置。
【００１４】
請求項２に記載の発明は、請求項１に記載の放送受信装置において、前記算出手段により算出された前記確率と、当該確率に対応する番組情報取得時刻と、を対応付けて記憶する確率記憶手段を備え、
前記変更手段は、前記判定手段により前記確率が所定の閾値未満であると判定される度に、前記番組情報取得時刻を所定時間ずらすとともに、前記判定手段により前記確率が所定の閾値未満であると判定された回数が連続して２４／所定時間（回）に達した場合に、前記確率記憶手段により記憶された２４／所定時間（回）の前記確率の中で、最も前記確率が高い前記番組情報取得時刻に変更することを特徴とする。
【００１５】
請求項３に記載の発明は、請求項１又は２に記載の放送受信装置において、前記算出手段は、前記番組情報取得時刻が所定回数経過する度に、所定回数の前記番組情報取得時刻において番組情報の取得が可能であった前記確率を算出することを特徴とする。
【００１６】
請求項４に記載の発明は、請求項１〜３の何れか一項に記載の放送受信装置において、前記算出手段は、デジタル放送信号の受信レベルが所定のレベル未満のチャンネルの番組情報の取得の可否は、前記確率の算出に際して除外することを特徴とする。
【００１７】
請求項５に記載の発明は、請求項１〜４の何れか一項に記載の放送受信装置において、前記取得手段は、前記番組情報の取得処理を一日に一回実施し、
前記所定回数は、７×Ｎ（Ｎは自然数）回であることを特徴とする。
【００１８】
請求項６に記載の発明は、番組データと番組情報とが多重化されたデジタル放送信号を受信する受信手段を備える放送受信装置において、
一日に一回の予め定められた番組情報取得時刻に、前記番組情報の取得処理を実施する取得手段と、
前記取得手段による番組情報の取得の可否を、前記番組情報取得時刻と対応づけて記憶する記憶手段と、
前記番組情報取得時刻が所定回数経過する度に、前記記憶手段に基づいて、所定回数の前記番組情報取得時刻において番組情報の取得が可能であった確率を算出する算出手段と、
前記算出手段により算出された前記確率が所定の閾値未満であるか否かを判定する判定手段と、
前記判定手段により前記確率が所定の閾値未満であると判定された場合に、前記番組情報取得時刻を変更する変更手段と、
前記算出手段により算出された前記確率と、当該確率に対応する番組情報取得時刻と、を対応付けて記憶する確率記憶手段と、
を備え、
前記算出手段は、デジタル放送信号の受信レベルが所定のレベル未満のチャンネルの番組情報の取得の可否は、前記確率の算出に際して除外し、
前記変更手段は、前記判定手段により前記確率が所定の閾値未満であると判定される度に、前記番組情報取得時刻を所定時間ずらすとともに、前記判定手段により前記確率が所定の閾値未満であると判定された回数が連続して２４／所定時間（回）に達した場合に、前記確率記憶手段により記憶された２４／所定時間（回）の前記確率の中で、最も前記確率が高い前記番組情報取得時刻に変更し、
前記所定回数は、７×Ｎ（Ｎは自然数）回であることを特徴とする。
【発明の効果】
【００１９】
本発明によれば、取得手段により、予め定められた番組情報取得時刻に、番組情報の取得処理が実施され、記憶手段により、取得手段による番組情報の取得の可否が、番組情報取得時刻と対応づけて記憶され、算出手段により、所定の条件を満たした場合に、記憶手段に基づいて、番組情報の取得が可能であった確率が算出され、判定手段により、算出手段により算出された確率が所定の閾値未満であるか否かが判定され、変更手段により、判定手段により確率が所定の閾値未満であると判定された場合に、番組情報取得時刻が変更される。
すなわち、所定の条件を満たした場合に、番組情報の取得の可否を番組情報取得時刻と対応づけて記憶する記憶手段に基づいて、番組情報の取得が可能であった確率が算出され、算出された確率が所定の閾値未満である場合にのみ、番組情報取得時刻が変更される。これにより、番組情報の取得が可能である確率が所定の閾値以上となるまで、番組情報取得時刻が変更されていくこととなるため、番組情報の取得が可能な確率がより高いタイミングを自動的に探し出して番組情報取得時刻として設定することが可能となる。また、ユーザの視聴習慣や放送信号の完全停波期間が変化して、番組情報の取得が可能である確率が所定の閾値を下回ることとなった場合であっても、新たな視聴習慣や完全停波期間における番組情報の取得が可能な確率がより高いタイミングが自動的に探し出されて番組情報取得時刻として設定されることとなる。すなわち、番組情報の取得が可能な確率が所定の閾値以上となる番組情報取得時刻を番組情報取得のタイミングとして設定することで、放送受信装置において、番組情報の取得を、より確実に効率良く実施することができる。
【図面の簡単な説明】
【００２０】
【図１】本実施形態の放送受信装置の要部構成を示すブロック図である。
【図２】チャンネル初期スキャン処理の流れを示すフローチャートである。
【図３】番組情報取得処理の流れを示すフローチャートの第１図である。
【図４】番組情報取得処理の流れを示すフローチャートの第２図である。
【図５】番組情報取得時刻「ＡＭ０：００」に実施された、各チャンネルにおける番組情報の取得処理の結果を記憶する取得結果記憶部のテーブルの一例である。
【図６】番組情報取得時刻「ＡＭ１：００」に実施された、各チャンネルにおける番組情報の取得処理の結果を記憶する取得結果記憶部のテーブルの一例である。
【図７】番組情報取得時刻「ＡＭ２：００」に実施された、各チャンネルにおける番組情報の取得処理の結果を記憶する取得結果記憶部のテーブルの一例である。
【図８】番組情報取得時刻「ＡＭ３：００」に実施された、各チャンネルにおける番組情報の取得処理の結果を記憶する取得結果記憶部のテーブルの一例である。
【図９】番組情報取得処理の結果を番組情報取得時刻別に記憶する取得結果記憶部の一例である。
【図１０】番組情報の取得成功率を記憶する取得成功率記憶部の第１例である。
【図１１】番組情報の取得成功率を記憶する取得成功率記憶部の第２例である。
【発明を実施するための形態】
【００２１】
以下、本発明に係る実施の形態を図面に基づいて説明する。なお、発明の範囲は図示例に限定されない。
【００２２】
本実施形態の放送受信装置１００は、例えば、地上デジタルテレビジョン放送信号の受信を行うテレビジョン受像機であり、図１に示すように、ユーザが各種指示を入力するリモートコントローラ（以下、「リモコン」と称する）１と、リモコン１により遠隔操作される装置本体２と、を備えて構成される。
【００２３】
各放送局から送出され、放送受信装置１００において受信されるデジタル放送信号には、映像データ及び音声データから成る番組コンテンツの他に、ＰＳＩ（Program Specific Information:番組特定情報）や、ＳＩ（Service Information：番組配列情報）と呼ばれる番組情報等が多重化されている。また、地上デジタル放送では、自局の番組情報のみを多重化する各局ＳＩ方式が採用されている。
本実施形態の放送受信装置１００は、１日１回の番組情報取得時刻に、受信可能な全放送局から送出されるデジタル放送信号から全放送チャンネル分の番組情報（ＳＩ）を取得し、取得した全放送チャンネル分の番組情報に基づいてＥＰＧ（Electronic Program Guide:電子番組ガイド）を作成して、ユーザに提供する機能を備えている。
【００２４】
リモコン１は、ユーザが装置本体２に対して各種指示を入力するための複数の釦を備える。例えば、リモコン１には、電源釦、番組表表示釦、ワンタッチ釦として機能する数字釦、入力切換釦、音声切換釦、戻る釦、上下左右の釦から成るカーソル釦、決定釦、チャンネルアップ／ダウン釦、ボリュームアップ／ダウン釦（何れも図示せず）等が備わる。
これらの釦の各々には予め識別情報が割り当てられ、所定の記憶領域に記憶されている。そして、ユーザにより釦の操作が行われると、操作された釦の識別情報が読み出されて、読み出された識別情報に対応するリモコン信号が生成され、生成されたリモコン信号が図示しない送信部から送信されるようになっている。
【００２５】
装置本体２は、リモコン信号受光部３、アンテナ４、チューナ５、復調部６、デコーダ部７、映像処理部８、音声処理部９、ＯＳＤ回路１０、表示部１１、音声出力部１２、制御部１３等を備えている。
【００２６】
リモコン信号受光部３は、フォトダイオード、ＳＵＢＣＰＵ、増幅部、復調部、デコーダ（いずれも図示せず）等を備えて構成されている。ＳＵＢＣＰＵは、リモコン１から送信されたリモコン信号を、前面パネルに設けられたフォトダイオードにおいて受信すると、受信したリモコン信号を増幅部により増幅させ、復調部において復調させ、デコーダにより波形整形、誤り訂正等の各種処理を行わせた後に、制御部１３に出力する。制御部１３では、入力されたリモコン信号から識別情報を取得し、取得した識別情報に基づいて操作された釦の判別を行う。
【００２７】
アンテナ４は、屋外において所定の方角に向けて配置され、放送送信装置から発信される高周波のデジタル放送信号を受信する。
【００２８】
チューナ５は、制御部１３からの選局指示にしたがって、アンテナ４等により入力された高周波信号のデジタル放送信号の中から特定周波数帯の信号を抽出し、低周波の信号に変換した後、ＡＤ変換等を行い、復調部６に出力する。
また、チューナ５は、制御部１３からの制御に基づいて、所定のタイミングで、チャンネル初期スキャンを実行する。チャンネル初期スキャンでは、ＵＨＦ(Ultra High Frequency)帯域、ＶＨＦ(Very High Frequency)帯域、ケーブルテレビ帯域（ミッドバンドチャンネル（Ｃ１３〜Ｃ２２）、スーパーハイバンドチャンネル（Ｃ２３〜Ｃ６３））等、チャンネルスキャンの対象となる全周波数帯域の物理チャンネルを走査して、受信可能なチャンネルを検出する。チューナ５におけるチャンネルスキャンの結果は、制御部１３に出力され、後述のチャンネルメモリ１３４に記憶されることとなる。
また、チューナ５は、受信手段及び取得手段として、後述する番組情報取得時刻記憶部１３６に記憶された１日１回の番組情報取得時刻に、チャンネルメモリ１３４に受信可能なチャンネルとして記憶された全チャンネルを走査し、全チャンネルのデジタル放送信号を受信する。
【００２９】
復調部６は、例えば、制御部１３からの制御に基づいて、チューナ５において選局されたチャンネルの信号に対してデジタル復調や誤り訂正等の処理を実行し、トランスポートストリーム（ＴＳ：Transport Stream）を生成して、デコーダ部７に出力する。
【００３０】
デコーダ部７は、分離部（Demultiplexer）７１、ビデオデコーダ７２、オーディオデコーダ７３、データデコーダ７４等を備えて構成されている。
【００３１】
分離部７１は、復調部６から入力されるＴＳを、ビデオストリーム、オーディオストリーム、ＰＳＩ（Program Specific Information:番組特定情報）／ＳＩ（Service Information: 番組配列情報）等の複数のストリームに分離する。そして、ＰＳＩに基づいて必要なＴＳパケットを取得し、ＭＰＥＧ２（Moving Picture Experts Group 2）規格下のビデオストリームをビデオデコーダ７２に、オーディオストリームをオーディオデコーダ７３に出力する。さらに、分離部７１は、番組情報（ＳＩ）等のデータをデータデコーダ７４に出力する。
【００３２】
ビデオデコーダ７２は、分離部７１から入力されるビデオストリームに可変長復号化、逆量子化、逆ＤＣＴ（Discrete Cosine Transform）、動き補正等の各種処理を行うことで、ビデオストリームをＤＴＳ（Decoding Time Stamp）に応じたタイミングで復号し、映像データを生成して映像処理部８に出力する。
オーディオデコーダ７３は、分離部７１から入力されるオーディオストリームを復号し、音声データを生成して音声処理部９に出力する。
【００３３】
データデコーダ７４は、分離部７１から入力されるデータを復号し、必要な情報を取得して制御部１３に供給する。
具体的には、データデコーダ７４は、取得手段として、取得時刻記憶部１３６に記憶された１日１回の番組情報取得時刻に、チューナ５により受信されたデジタル放送信号から抽出された番組情報（ＳＩ）を復号して必要な情報を取得し、制御部１３に供給する。チューナ５及びデータデコーダ７４により取得された番組情報（ＳＩ）は、後述する番組情報記憶部１３５に格納される。また、番組情報の取得の可否は、番組情報の取得を実施した番組情報取得時刻と対応づけて後述する取得結果記憶部１３７に記憶される。
【００３４】
映像処理部８は、ビデオデコーダ７２から入力された映像データに対して各種映像処理を施し、映像信号を生成する。生成された映像信号は、フレームメモリ（図示略）に一旦格納された後、ＰＴＳ（Presentation Time Stamp）に応じた再生タイミングで、表示部１１に出力される。
音声処理部９は、オーディオデコーダ７３から入力された音声データに対して各種音声処理を施して音声信号を生成し、ＰＴＳに応じた再生タイミングで、音声出力部１２に出力する。
【００３５】
ＯＳＤ回路１０は、制御部１３からの制御にしたがって、ＯＳＤ表示用データを生成し、生成したＯＳＤ表示用データを、映像処理部８から出力される映像信号に重畳して、表示部１１にＯＳＤ表示させる。
【００３６】
表示部１１は、ＬＣＤ（Liquid Crystal Display）、ＰＤＰ（Plasma Display Panel）、有機ＥＬ（Electro Luminescence）ディスプレイ等のディスプレイ（図示省略）を備えて構成され、映像処理部８から入力された映像信号に基づく映像をディスプレイに表示させる。
音声出力部１２は、スピーカ（図示省略）等を備えて構成され、音声処理部９から入力された音声信号に基づく音声を増幅して、スピーカにより出力させる。
【００３７】
制御部１３は、ＣＰＵ（Central Processing Unit）１３１、ＲＡＭ（Random Access Memory）１３２、計時部１３３、チャンネルメモリ１３４、番組情報記憶部１３５、取得時刻記憶部１３６、取得結果記憶部１３７（１３７ａ〜１３７ｅ）、取得成功率記憶部１３８、ＲＯＭ（Read Only Memory）１３９等を備えて構成され、放送受信装置１００の各部を制御する。
【００３８】
ＣＰＵ１３１は、各部から入力された入力信号に応じて、ＲＯＭ１３９に格納された処理プログラム等を読み出してＲＡＭ１３２に展開して実行し、装置本体２の各部に出力信号を出力することにより、放送受信装置１００全体の制御を行う。
【００３９】
ＲＡＭ１３２は、ＣＰＵ１３１により実行される各種プログラムを展開するプログラム格納領域や、入力データやこれらの処理プログラムが実行される際に生じる処理結果等を格納するデータ格納領域を備え、ＣＰＵ１３１のワークエリアとして用いられる。
【００４０】
計時部１３３は、計時処理を行って放送受信装置１００全体の基準時刻を発生する。
【００４１】
チャンネルメモリ１３４は、不揮発性メモリにより構成され、チューナ５におけるチャンネルスキャンにより検出された本放送受信装置１００において受信可能な放送チャンネルに関する情報を記憶する。
【００４２】
番組情報記憶部１３５は、不揮発性メモリにより構成され、データデコーダ７４において取得された番組情報（ＳＩ）を記憶し、新たな番組情報が取得される度に更新される。
【００４３】
取得時刻記憶部１３６は、不揮発性メモリにより構成され、予め定められた番組情報（ＳＩ）の番組情報取得時刻を記憶するとともに、変更後の番組情報取得時刻を記憶する。
【００４４】
番組情報取得時刻の変更は、後述するように、所定回数Ｃの番組情報取得時刻において、番組情報の取得が可能であった確率Ｐ（以下、所定回数Ｃの番組情報取得時刻において番組情報の取得が可能であった確率Ｐを「（番組情報の）取得成功率Ｐ」という）が、所定の閾値Ｔを下回った場合に行われる。このとき、本実施形態の放送受信装置１００では、取得時刻記憶部１３６に記憶された番組情報取得時刻を所定時間ずらした時刻が、新たな番組情報取得時刻とされるようになっている。
さらに、番組情報取得時刻の変更は、番組情報の取得成功率Ｐが所定の閾値Ｔを下回った回数が連続して２４／所定時間（回）に達した場合に行われる。このとき、２４／所定時間（回）分の取得成功率Ｐの中で取得成功率Ｐが最も高い番組情報取得時刻が、新たな番組情報取得時刻とされるようになっている。
【００４５】
ここで、所定回数Ｃは、７×Ｎ（Ｎは自然数）回である。
本実施形態では、例えば、Ｎ＝３とし、所定回数Ｃが「７×３＝２１回」である場合について説明する。すなわち、本実施形態では、ある番組情報取得時刻が２１回到来した時点で、直近の２１回の番組情報取得時刻において番組情報の取得が可能であった取得成功率Ｐを算出する。すなわち、ある番組情報取得時刻に関する２１回分のデータが集まる度に、番組情報の取得成功率Ｐが算出されるようになっている。
【００４６】
また、本実施形態では、例えば、所定の閾値Ｔを「９０％」とする。すなわち、本実施形態では、２１回（所定回数）の番組情報取得時刻における番組情報の取得成功率Ｐを算出し、算出した取得成功率Ｐが９０％を下回った場合に、番組情報取得時刻を変更する。つまり、２１回の番組情報取得時刻において、番組情報の取得が不可能であった回数が２回以下である限りは番組情報取得時刻は変更されず、２１回の番組情報取得時刻において、番組情報の取得が不可能であった回数が３回以上となった場合に、番組情報取得時刻が変更されるようになっている。
【００４７】
また、本実施形態では、例えば、所定時間を「１時間」とし、「ずらす」を「遅らせる」とする。すなわち、本実施形態では、番組情報の取得成功率Ｐが９０％（所定の閾値Ｔ）未満となると、番組情報取得時刻を１時間ずつ遅らせるようになっている。さらに、番組情報の取得成功率Ｐが所定の閾値Ｔを下回った回数が連続して２４回に達し、２４回の中の何れの番組情報取得時刻でも取得成功率Ｐが所定の閾値Ｔに到らなかった場合に、２４回分の取得成功率Ｐの中で取得成功率Ｐが最も高い番組情報取得時刻が、新たな番組情報取得時刻とされるようになっている。
なお、例えば、所定時間を「３０分」に設定した場合には、番組情報の取得成功率Ｐが９０％（所定の閾値Ｔ）未満となると、番組情報取得時刻を３０分ずつずらしていくこととなる。その場合、番組情報取得時刻の変更は、番組情報の取得成功率Ｐが所定の閾値Ｔを下回った回数が連続して４８回に達した場合に行われ、４８回分の取得成功率Ｐの中で取得成功率Ｐが最も高い番組情報取得時刻が新たな番組情報取得時刻とされる。
【００４８】
また、本実施形態では、番組情報取得時刻記憶部１３６に記憶された予め定められた番組情報取得時刻が「ＡＭ０：００」であることとして説明する。予め定められた番組情報取得時刻としては、放送信号の完全停波が実施される可能性が低く、且つ、一般的なユーザが視聴を行う可能性が相対的に低い時刻がデフォルト値として設定されることが好ましく、例えば、「ＡＭ６：００」を予め定められた番組情報取得時刻としても良い。
【００４９】
なお、所定回数、所定の閾値Ｔ、所定時間、予め定められた番組情報取得時刻は、上記の例に限られることなく、適宜設定することができる。
【００５０】
取得結果記憶部１３７（１３７ａ〜１３７ｅ）は、不揮発性メモリにより構成され、記憶手段として、取得プログラム１３９ａによる番組情報（ＳＩ）の取得の可否を、番組情報の取得処理を実施した番組情報取得時刻と対応づけて記憶する。取得結果記憶部１３７ａ〜１３７ｅは、後述するように、番組情報取得時刻毎に、所定回数分の番組情報の取得結果を記憶するようになっており、取得結果記憶部１３７に記憶された所定回数分の番組情報の取得結果に基づいて、取得成功率Ｐが算出される。
また、取得結果記憶部１３７（１３７ａ〜１３７ｅ）は、番組情報（ＳＩ）の取得の可否を、ＦＩＦＯ（First In, First Out）形式で記憶する。このように、番組情報の取得結果をＦＩＦＯ形式で格納することにより、例えば、番組情報の取得処理が実施される度に、最後に到来した番組情報取得時刻を含む所定回数前までの番組情報取得時刻における確率を算出するように構成することも可能である。
【００５１】
取得成功率記憶部１３８は、不揮発性メモリにより構成され、確率記憶手段として、所定回数の番組情報の取得処理における取得の可否に基づいて算出された取得成功率Ｐの履歴を、番組情報取得時刻と対応づけて記憶する。
なお、取得結果記憶部１３７ａ〜１３７ｅ及び取得成功率記憶部１３８については、後に詳述する。
【００５２】
ＲＯＭ１３９は、処理プログラムやデータ等を予め記憶しており、例えば、取得プログラム１３９ａ、記憶プログラム１３９ｂ、算出プログラム１３９ｃ、判定プログラム１３９ｄ、変更プログラム１３９ｅ等が格納されている。
【００５３】
取得プログラム１３９ａは、ＣＰＵ１３１に、一日一回の予め定められた番組情報取得時刻に、番組情報の取得処理を実施する機能を実現させるためのプログラムである。
本実施形態では、かかる取得プログラム１３９ａ、ＣＰＵ１３１、チューナ４、データデコーダ７４により、取得手段が構成される。
【００５４】
記憶プログラム１３９ｂは、ＣＰＵ１３１に、取得プログラム１３９ａの実行による番組情報の取得の可否を、番組情報の取得処理を実施した番組情報取得時刻と対応づけて記憶する機能を実現させるためのプログラムである。
本実施形態では、かかる記憶プログラム１３９ｂ、ＣＰＵ１３１、取得結果記憶部１３７により、記憶手段が構成される。
【００５５】
算出プログラム１３９ｃは、ＣＰＵ１３１に、番組情報取得時刻が所定回数経過する度に、取得結果記憶部１３７に基づいて、当該所定回数の番組情報の取得処理において番組情報の取得が可能であった取得成功率Ｐを算出する機能を実現させるためのプログラムである。
本実施形態では、かかる算出プログラム１３９ｃ、ＣＰＵ１３１により、算出手段が構成される。
【００５６】
判定プログラム１３９ｄは、ＣＰＵ１３１に、算出プログラム１３９ｃの実行により算出された取得成功率Ｐが所定の閾値Ｔ未満であるか否かを判定する機能を実現させるためのプログラムである。
本実施形態では、かかる判定プログラム１３９ｄ、ＣＰＵ１３１により、判定手段が構成される。
【００５７】
変更プログラム１３９ｅは、ＣＰＵ１３１に、判定プログラム１３９ｄの実行により、番組情報の取得が可能であった取得成功率Ｐが所定の閾値Ｔ未満であると判定された場合に、番組情報取得時刻を変更する機能を実現させるとともに、番組情報の取得成功率Ｐが所定の閾値Ｔ未満であると判定された回数が連続して２４／所定時間（回）に達した場合に、取得成功率記憶部１３８に記憶された２４／所定時間（回）の取得成功率Ｐの中で、最も確率が高い番組情報取得時刻に変更する機能を実現させるためのプログラムである。
本実施形態では、かかる変更プログラム１３９ｅ、ＣＰＵ１３１により、変更手段が構成される。
【００５８】
確率記憶プログラム１３９ｆは、ＣＰＵ１３１に、算出プログラム１３９ｃの実行により算出された番組情報の取得成功率Ｐと、当該取得成功率Ｐに対応する番組情報取得時刻と、を対応づけて、取得成功率記憶部１３８に記憶する機能を実現させるためのプログラムである。
本実施形態では、かかる確率記憶プログラム１３９ｆ、ＣＰＵ１３１、取得成功率記憶部１３８により、確率記憶手段が構成される。
【００５９】
ここで、図２のフローチャートを参照しながら、本実施形態の放送受信装置１００において実行されるチャンネル初期スキャン処理の流れについて説明する。
【００６０】
まず、ステップＳ１において、ＣＰＵ１３１は、チャンネル初期スキャンのタイミングであるか否かを判断し、チャンネル初期スキャンのタイミングであると判断すると（ステップＳ１；Ｙｅｓ）、ステップＳ２に進む。ＣＰＵ１３１は、例えば、放送受信装置１００の購入後に初めて電源が投入された時等に、チャンネル初期スキャンのタイミングであると判断する。また、その他、主電源のオフから電源オン復帰まで一定時間以上経過していた場合にも、チャンネル初期スキャンのタイミングであると判断しても良い。
【００６１】
次に、ステップＳ２において、ＣＰＵ１３１は、受信可能なチャンネルを全周波数帯域から検索するチャンネル初期スキャンを実行するとともに、受信可能であったチャンネルのデジタル放送信号の中から番組情報（ＳＩ）を取得する。チャンネル初期スキャンの実行において、ＣＰＵ１３１は、チューナ５を各チャンネルの周波数に同調させ、フロントエンドのロックの有無や受信Ｃ／Ｎに基づいて、各チャンネルが受信可能であるか否かの判定を行う。このとき、ＣＰＵ１３１は、各チャンネルの放送信号の受信レベルを記憶する。また、ＣＰＵ１３１は、受信可能なチャンネルの中から取得した番組情報を番組情報記憶部１３５に格納する。
続くステップＳ３において、ＣＰＵ１３１は、チャンネル初期スキャンにより受信可能であるとされたチャンネルをチャンネルメモリ１３４に記憶する。
【００６２】
続くステップＳ４において、ＣＰＵ１３１は、チャンネル初期スキャンにおいて受信可能であるとされたチャンネルのうち、信号の受信レベルが所定の閾値を下回るチャンネルをＮＧ−ＣＨに指定し、指定したＮＧ−ＣＨをチャンネルメモリ１３４等の所定の記憶領域に記憶する。ＮＧ−ＣＨに指定されるチャンネルは、チャンネルスキャンではチャンネル有りと判定されるものの、受信レベルが低いために、番組情報の取得は不可能である可能性が高いチャンネルである。そして、後述するように、番組情報の取得成功率Ｐの算出に際して、ＮＧ−ＣＨに指定されたチャンネルにおける番組情報の取得の可否が除外されるようになっている。
【００６３】
続くステップＳ５において、ＣＰＵ１３１は、取得回数チェックカウンタに所定回数Ｃ（Ｃ＝７×Ｎ）として「２１（Ｎ＝３の場合）」をセットし、本処理を終了する。
【００６４】
次に、図３及び図４のフローチャートを参照しながら、ＣＰＵ１３１が上述の取得プログラム１３９ａ、記憶プログラム１３９ｂ、算出プログラム１３９ｃ、判定プログラム１３９ｄ、変更プログラム１３９ｅ、確率記憶プログラム１３９ｆを実行することにより、本実施形態の放送受信装置１００において行われる番組情報取得処理の流れについて説明する。
【００６５】
まず、ＣＰＵ１３１は、番組視聴後の電源オフ操作によりスタンバイモードに移行した場合や、ＡＣアダプタの挿入によってスタンバイモードに移行した場合等において、図３のステップＳ１１の処理を実行し、取得時刻記憶部１３６に記憶された番組情報取得時刻を参照して、番組情報取得時刻が過ぎているか否かを判断する。番組情報取得時刻が過ぎてしまうケースとしては、例えば、ユーザが番組を視聴中である場合（電源オン状態である場合）や、ユーザによりＡＣアダプタが抜かれて、放送受信装置１００の主電源がオフとなった場合が考えられる。その他、停電が発生して主電源がオフとなったケースでも、番組情報取得時刻が過ぎてしまうことがある。
ステップＳ１１において、ＣＰＵ１３１は、番組情報取得時刻が過ぎていると判断すると（ステップＳ１１；Ｙｅｓ）、ステップＳ１３に進み、一方、番組情報取得時刻が過ぎていないと判断すると（ステップＳ１１；Ｎｏ）、ステップＳ１２に進む。
【００６６】
次に、ステップＳ１２において、ＣＰＵ１３１は、取得時刻記憶部１３６に記憶された番組情報取得時刻と計時部１３３により計時される現在時刻とに基づいて、番組情報取得時刻（例えば、「ＡＭ０：００」）が到来したか否かを判断する。ＣＰＵ１３１は、ステップＳ１２において、番組情報取得時刻が未だ到来していないと判断すると（ステップＳ１２；Ｎｏ）、ステップＳ１２の処理を繰り返し実行し、番組情報取得時刻が到来したと判断すると（ステップＳ１２；Ｙｅｓ）、ステップＳ１３に進む。
【００６７】
次に、ステップＳ１３において、ＣＰＵ１３１は、チャンネルメモリ１３４に受信可能なチャンネルとして記憶された全チャンネルをチューナ５により選局して、各チャンネルのデジタル放送信号を受信し、受信した各チャンネルのデジタル放送信号から番組情報を取得する。
続くステップＳ１４において、ＣＰＵ１３１は、取得した番組情報に基づいて、番組情報記憶部１３５を更新する。
【００６８】
続くステップＳ１５において、ＣＰＵ１３１は、取得時刻記憶部１３６に記憶された番組情報取得時刻において番組情報の取得が可能であったか否か、すなわち、ＮＧ−ＣＨに指定されたチャンネル以外の全チャンネル分の番組情報取得が可能であったか否かを判断する。このとき、ＣＰＵ１３１は、例えば、少なくとも８日分のテレビサービスの番組情報を全チャンネル分取得した場合に「番組情報の取得が可能」であると判断する。また、テレビサービスの番組情報に加えて、２日分のデータ放送の番組情報の取得が可能であった場合に、番組情報の取得が可能であると判断しても良い。
【００６９】
ここで、番組情報取得処理の実施時に、何れのチャンネルでも放送信号の完全停波が行われておらず、且つ、放送受信装置１００の電源状態がスタンバイ状態であった場合には、全チャンネルを選局して全チャンネル分の番組情報を取得することができ、番組情報の取得は可能であると判断されることとなる。
一方、番組情報取得処理の実施時に、１つ以上のチャンネルで放送信号の完全停波が行われている場合には、そのチャンネルの放送信号自体を受信することができないため、全チャンネル分の番組情報を取得することができず、番組情報の取得は不可能であると判断される。
【００７０】
なお、本発明における番組情報の取得対象は、地上デジタル放送に限られることなく、放送信号に番組情報が含まれている限り、その他の任意の放送サービスを番組情報の取得対象とすることができる。すなわち、放送事情や放送規格の改定、放送受信装置の機能等に合わせて、例えば、ＢＳデジタル放送や広帯域ＣＳ（１１０°ＣＳ）デジタル放送、ラジオ放送等を本発明における番組情報の取得対象としても良い。
【００７１】
そして、ＣＰＵ１３１は、ステップＳ１５において、番組情報の取得が可能であったと判断すると（ステップＳ１５；Ｙｅｓ）、更に、前述のステップＳ１１の判断を考慮し、ステップＳ１１の処理実行時に番組情報取得時刻が過ぎていない（ステップＳ１１；Ｎｏ）と判断していた場合（すなわち、番組視聴後の電源オフ操作やＡＣアダプタの挿入等によってスタンバイモードに移行するまでの間に、番組情報取得時刻が過ぎていなかった場合）には、ステップＳ１５からステップＳ１６に進む。一方、ＣＰＵ１３１は、前述のステップＳ１１の処理実行時に番組情報取得時刻が過ぎている（ステップＳ１１；Ｙｅｓ）と判断していた場合（すなわち、番組視聴後の電源オフ操作やＡＣアダプタの挿入等によってスタンバイモードに移行するまでの間に、番組情報取得時刻が過ぎていた場合）には、ステップＳ１５からステップＳ１７に進む。
また、ＣＰＵ１３１は、ステップＳ１５において、番組情報の取得が不可能であったと判断すると（ステップＳ１５；Ｎｏ）、ステップＳ１７に進む。
【００７２】
ステップＳ１６において、ＣＰＵ１３１は、取得結果記憶部１３７に、番組情報の取得が可能である旨（例えば、「取得可」であることを示す「○」）を取得時刻と対応づけて記憶する。
ステップＳ１７において、ＣＰＵ１３１は、取得結果記憶部１３７に、番組情報の取得が不可能である旨（例えば、「取得不可」であることを示す「×」）を取得時刻と対応づけて記憶する。
【００７３】
すなわち、前述したように、１つ以上のチャンネルで放送信号の完全停波が行われている場合には、番組情報の取得は不可能であるとされる。また、ユーザが番組を視聴中であるために番組情報取得時刻が過ぎてしまった場合や、ＡＣアダプタが抜かれて放送受信装置１００の主電源がオフとされている間に番組情報取得時刻が過ぎてしまった場合にも、番組情報の取得は不可能であるとされる。
さらに、録画予約の実行中や録画予約の実行直前、天候等により受信状況が悪化した場合、受信周波数の変更（リパック）に追従できなかった場合、放送設備のトラブルが発生した場合、アンテナの接続に問題があった場合等にも、番組情報の取得が不可能とされる場合がある。
【００７４】
このとき、ＣＰＵ１３１は、番組視聴後の電源オフ操作やＡＣアダプタの挿入等によってスタンバイモードに移行するまでの間に、たとえ番組情報取得時刻が複数回経過（すなわち、複数日が経過）していたとしても、複数回の番組情報取得時刻を１回分の番組情報取得時刻として、それら複数回の番組情報取得時刻の経過を、１回分の番組情報取得処理の失敗（「取得不可」）としてカウントする。以下、このような複数回の番組情報取得時刻を１回分の番組情報取得時刻として説明する。
なお、前述したように、取得結果記憶部１３７において、番組情報の取得の可否はＦＩＦＯ形式で格納され、最後に到来した番組情報取得時刻を含む所定回数前までの番組情報取得時刻における番組情報の取得の可否が記憶されるようになっている。
【００７５】
続くステップＳ１８において、ＣＰＵ１３１は、取得回数チェックカウンタＣが「０」となったか否かを判断する。ＣＰＵ１３１は、ステップＳ１８において、取得回数チェックカウンタが「０」でないと判断すると（ステップＳ１８；Ｎｏ）、ステップＳ１９に進み、取得回数チェックカウンタＣをデクリメントするとともに、ステップＳ１２に戻って以上の処理を繰り返す。すなわち、番組情報取得時刻に番組情報の取得時刻を実施する度に、取得回数チェックカウンタＣに設定された値が１ずつ引かれていくこととなる。
一方、ＣＰＵ１３１は、ステップＳ１８において、取得回数チェックカウンタが「０」であると判断すると（ステップＳ１８；Ｙｅｓ）、ステップＳ２０に進む。ここで、取得回数チェックカウンタに所定回数Ｃ（例えば、「２１」）をセットした日から少なくとも２１日間経過して、番組情報取得時刻が２１回到来した場合に、取得回数チェックカウンタが「０」となる。
【００７６】
図４のステップＳ２０において、ＣＰＵ１３１は、所定回数分の番組情報取得時刻において、番組情報の取得が可能であった番組情報の取得成功率Ｐを算出する。なお、前述したように、番組情報取得の可否の結果に基づく番組情報の取得成功率Ｐの算出において、ＮＧ―ＣＨに指定されたチャンネルの番組情報の取得の可否は除外されるようになっている。
次いで、ステップＳ２１において、ＣＰＵ１３１は、番組情報の取得成功率Ｐが所定の閾値Ｔ「９０％」以上であるか否かを判断する。そして、ＣＰＵ１３１は、ステップＳ２１において、所定回数分の番組情報取得時刻における番組情報の取得成功率Ｐが所定の閾値Ｔ「９０％」以上であると判断すると（ステップＳ２１；Ｙｅｓ）、ステップＳ１２に戻って以上の処理を繰り返し、一方、番組情報の取得成功率Ｐが所定の閾値Ｔ「９０％」を下回ったと判断すると（ステップＳ２１；Ｎｏ）、ステップＳ２２に進む。
【００７７】
ステップＳ２２において、ＣＰＵ１３１は、番組情報の取得成功率Ｐが所定の閾値Ｔ「９０％」を下回った回数が連続して２４／所定時間（回）に達したか否かを判断する。ここで、本実施形態では、所定時間が「１時間」であるため、番組情報の取得成功率Ｐが所定の閾値Ｔを下回った回数が連続して２４回に達したか否かを判定する。なお、例えば、所定時間が「３０分」である場合には、番組情報の取得成功率Ｐが所定の閾値Ｔを下回った回数が連続して４８回に達したか否かの判定を行い、所定時間が「２時間」である場合には、番組情報の取得成功率Ｐが所定の閾値Ｔを下回った回数が連続して１２回に達したか否かの判定を行う。
【００７８】
そして、ＣＰＵ１３１は、ステップＳ２２において、番組情報の取得成功率Ｐが所定の閾値Ｔ「９０％」を下回った回数が連続して２４／所定時間（回）に達していないと判定すると（ステップＳ２２；Ｎｏ）、ステップＳ２３に進み、取得時刻記憶部１３６に記憶された番組情報取得時刻を所定時間ずらし（本実施形態では、１時間遅らせ）、ステップＳ２４に進む。
【００７９】
一方、ＣＰＵ１３１は、ステップＳ２２において、番組情報の取得成功率Ｐが所定の閾値Ｔ「９０％」を下回った回数が連続して２４／所定時間（回）に達したと判定すると（ステップＳ２２；Ｙｅｓ）、ステップＳ２４に進み、取得成功率記憶部１３８に基づいて、２４／所定時間（回）の番組情報の取得成功率Ｐのうちで、最も取得成功率Ｐが高かった時刻を特定し、取得時刻記憶部１３６に記憶された番組情報取得時刻を、２４／所定時間（回）分の取得成功率Ｐのうちで最も取得成功率Ｐが高かった時刻に変更し、ステップＳ２５に進む。
【００８０】
ステップＳ２５において、ＣＰＵ１３１は、取得回数チェックカウンタをクリアするとともに、所定回数Ｃ（Ｃ＝７×Ｎ）として「２１（Ｎ＝３の場合）」を取得回数チェックカウンタにセットし、ステップＳ１２に戻って以上の処理を繰り返す。
【００８１】
ここで、本実施形態の放送受信装置１００において実行される番組情報取得処理について、具体例を挙げて説明する。
前述したように、取得時刻記憶部１３６には、予めデフォルトの番組情報取得時刻として「ＡＭ０：００」がセットされている。ＣＰＵ１３１は、１日１回の番組情報取得時刻「ＡＭ０：００」に番組情報取得処理を実施し、番組情報取得時刻が２１回経過する度に、２１回分の番組情報取得時刻における番組情報の取得成功率Ｐを算出するとともに、番組情報の取得成功率Ｐが９０％以上に到達しない場合には番組情報取得時刻を１時間ずつ遅らせていくことで、放送信号の完全停波期間やユーザの番組視聴時間と当たる可能性が低く、取得成功率Ｐが９０％以上となる番組情報取得時刻を探し出す。
【００８２】
ＣＰＵ１３１は、まず初めに、取得回数チェックカウンタＣに「２１」をセットする。そして、取得回数チェックカウンタＣが「０」になるまでの間、取得時刻記憶部１３６に記憶された番組情報取得時刻「ＡＭ０：００」が到来する度に、チューナ５による各チャンネルのデジタル放送信号の受信を試みて、データデコーダ７４において番組情報の取得処理を実施するとともに、取得回数チェックカウンタＣをデクリメントする処理を行う。さらに、番組情報の取得の可否を、番組情報取得処理を実施した番組情報取得時刻「ＡＭ０：００」と対応づけて、図５に示す取得結果記憶部１３７ａ及び図９に示す取得結果記憶部１３７ｅに記憶する。
【００８３】
図５は、番組情報取得時刻「ＡＭ０：００」に実施された各チャンネルにおける番組情報の取得処理の結果を記憶する取得結果記憶部１３７ａの一例である。
図５の取得結果記憶部１３７ａでは、２１回の番組情報取得時刻「ＡＭ０：００」の各々に実行された番組情報取得処理おいて、番組情報の取得が可能であったチャンネルについて「取得可」であることを示す「○」が記憶され、番組情報の取得が不可能であったチャンネルについて「取得不可」であることを示す「×」が記憶されている。
【００８４】
また、図９は、番組情報取得処理の結果を番組情報取得時刻別に記憶する取得結果記憶部１３７ｅの一例であり、図５の取得結果記憶部１３７ａに基づいて、２１回分の各番組情報取得時刻において、番組情報の取得が可能であった回数（すなわち、ＮＧ−ＣＨを除く全チャンネル分の番組情報取得が可能であった回数）を、番組情報取得時刻別に集計したものである。
図９の取得結果記憶部１３７ｅでは、図５の取得結果記憶部１３７ａに基づいて、ＮＧ−ＣＨを除く全チャンネルの番組情報の取得が可能とされている場合に、その回の番組情報の取得は可能であるとして「取得可」であることを示す「○」が記憶され、一方、放送信号の完全停波やユーザの番組視聴等によって、番組情報の取得が不可能なチャンネルが１つでも存在する場合には、その回の番組情報の取得は不可能であるとして「取得不可」であることを示す「×」が記憶されている。
【００８５】
図５及び図９に示すように、２１回分の番組情報取得時刻「ＡＭ０：００」において、放送波の完全停波やユーザの番組視聴が行われておらず、番組情報の取得が可能（すなわち、全チャンネル分の番組情報を取得可能）であったのは、１・５・７・９・１１・１２・１３・１７・２１回目の計９回である。
【００８６】
ＣＰＵ１３１は、番組情報取得時刻「ＡＭ０：００」が２１回到来して、取得回数チェックカウンタＣの値が「０」になったと判断すると、図５の取得結果記憶部１３７ａに基づいて、２１回の番組情報取得時刻「ＡＭ０：００」において、番組情報の取得が可能であった取得成功率Ｐを算出する。すなわち、全２１回の番組情報取得時刻「ＡＭ０：００」において、番組情報の取得が可能であった回数は「９回」であるため、番組情報取得時刻「ＡＭ０：００」における番組情報の取得成功率は「４２．９％」と算出される。算出された番組情報の取得成功率Ｐ「４２．９％」は、番組情報取得時刻「ＡＭ０：００」と対応づけられて、図１０に示す取得成功率記憶部１３８に記憶される。
【００８７】
さらに、ＣＰＵ１３１は、算出した番組情報の取得成功率Ｐが所定の閾値Ｔ「９０％」以上であるか否かを判定し、取得成功率Ｐ「４２．９％」が所定の閾値Ｔ「９０％」を下回っていると判定すると、取得時刻記憶部１３６に記憶された番組情報取得時刻「ＡＭ０：００」を１時間遅らせ、「ＡＭ１：００」を新たな番組情報取得時刻とする。さらに、取得回数チェックカウンタＣに再び「２１」をセットする。
【００８８】
次に、ＣＰＵ１３１は、取得回数チェックカウンタＣが再び「０」になるまでの間、取得時刻記憶部１３６に記憶された番組情報取得時刻「ＡＭ１：００」が到来する度に、番組情報の取得処理を実施する。そして、番組情報の取得の可否を、番組情報取得処理を実施した番組情報取得時刻「ＡＭ１：００」と対応づけて、図６に示す取得結果記憶部１３７ｂ及び図９に示す取得結果記憶部１３７ｅに記憶するとともに、２１回の番組情報取得時刻「ＡＭ１：００」において、番組情報の取得が可能であった取得成功率Ｐを算出して、算出した番組情報の取得成功率Ｐを図１０に示す取得成功率記憶部１３８に記憶する。
【００８９】
図６及び図９に示すように、全２１回の番組情報取得時刻「ＡＭ１：００」において、番組情報の取得が可能であった回数は「１３回」であるため、番組情報取得時刻「ＡＭ１：００」における番組情報の取得成功率は「６１．９％」と算出される。
ＣＰＵ１３１は、算出した番組情報の取得成功率Ｐ「６１．９％」が所定の閾値Ｔ「９０％」を下回っていると判定すると、取得時刻記憶部１３６に記憶された番組情報取得時刻「ＡＭ１：００」を更に１時間遅らせ、「ＡＭ２：００」を新たな番組情報取得時刻とする。さらに、取得回数チェックカウンタＣに再び「２１」をセットする。
【００９０】
次に、ＣＰＵ１３１は、取得回数チェックカウンタＣが再び「０」になるまでの間、取得時刻記憶部１３６に記憶された番組情報取得時刻「ＡＭ２：００」が到来する度に、番組情報の取得処理を実施する。そして、番組情報の取得の可否を、番組情報取得処理を実施した番組情報取得時刻「ＡＭ２：００」と対応づけて、図７に示す取得結果記憶部１３７ｃ及び図９に示す取得結果記憶部１３７ｅに記憶するとともに、２１回の番組情報取得時刻「ＡＭ２：００」において、番組情報の取得が可能であった取得成功率Ｐを算出して、算出した番組情報の取得成功率Ｐを図１０に示す取得成功率記憶部１３８に記憶する。
【００９１】
図７及び図９に示すように、全２１回の番組情報取得時刻「ＡＭ２：００」において、番組情報の取得が可能であった回数は「１８回」であるため、番組情報取得時刻「ＡＭ２：００」における番組情報の取得成功率は「８５．７％」と算出される。
ＣＰＵ１３１は、算出した番組情報の取得成功率Ｐ「８５．７％」が所定の閾値Ｔ「９０％」を下回っていると判定すると、取得時刻記憶部１３６に記憶された番組情報取得時刻「ＡＭ２：００」を更に１時間遅らせ、「ＡＭ３：００」を新たな番組情報取得時刻とする。さらに、取得回数チェックカウンタＣに再び「２１」をセットする。
【００９２】
次に、ＣＰＵ１３１は、取得回数チェックカウンタＣが再び「０」になるまでの間、取得時刻記憶部１３６に記憶された番組情報取得時刻「ＡＭ３：００」が到来する度に、番組情報の取得処理を実施する。そして、番組情報の取得の可否を、番組情報取得処理を実施した番組情報取得時刻「ＡＭ３：００」と対応づけて、図８に示す取得結果記憶部１３７ｄ及び図９に示す取得結果記憶部１３７ｅに記憶するとともに、２１回の番組情報取得時刻「ＡＭ３：００」において、番組情報の取得が可能であった取得成功率Ｐを算出して、算出した番組情報の取得成功率Ｐを図１０に示す取得成功率記憶部１３８に記憶する。
【００９３】
図８及び図９に示すように、全２１回の番組情報取得時刻「ＡＭ３：００」において、番組情報の取得が可能であった回数は「２１回」であるため、番組情報取得時刻「ＡＭ３：００」における番組情報の取得成功率は「１００．０％」と算出される。算出された番組情報の取得成功率Ｐ「１００．０％」は、番組情報取得時刻「ＡＭ３：００」と対応づけられて、図１０に示す取得成功率記憶部１３８に記憶される。
ＣＰＵ１３１は、算出した番組情報の取得成功率Ｐが所定の閾値Ｔ「９０％」以上であるか否かを判定し、取得成功率Ｐ「１００．０％」が所定の閾値Ｔ「９０％」以上であると判定すると、取得時刻記憶部１３６に記憶された「ＡＭ３：００」を変更する必要は無いと判断する。
さらに、ＣＰＵ１３１は、取得回数チェックカウンタＣに再び「２１」をセットし、「ＡＭ３：００」を番組情報取得時刻として番組情報取得処理を実施する。
【００９４】
このように、上記の例では、取得成功率Ｐが９０％以上となる番組情報取得時刻に達するまで、最初の２１日間は「ＡＭ０：００」に番組情報取得処理が実行され、次の２１日間は「ＡＭ１：００」に番組情報取得処理が実行され、次の２１日間は「ＡＭ２：００」に番組情報取得処理が実行され、次の２１日間は「ＡＭ３：００」に番組情報取得処理が実行されることとなる。
そして、番組情報取得時刻が「ＡＭ３；００」となって取得成功率Ｐが９０％以上となると、以降の２１日間は、「ＡＭ３：００」を番組情報取得時刻として番組情報の取得処理が実施されることとなる。
【００９５】
さらに、その後、取得時刻記憶部１３６に記憶された番組情報取得時刻「ＡＭ３：００」において、番組情報の取得成功率Ｐが所定の閾値Ｔ「９０％」を下回ったとする。すると、ＣＰＵ１３１は、再び、番組情報取得時刻を１時間ずつ遅らせていき、取得成功率Ｐが９０％以上となる番組情報取得時刻を探し出す。
【００９６】
そして、例えば、番組情報の取得成功率Ｐが所定の閾値Ｔ「９０％」を下回った回数が連続して２４回に達した場合、すなわち、番組情報取得時刻が２１回到来する度に番組情報取得時刻を１時間ずらしていき、図１１に示すように、２４時間内の何れの時刻（すなわち、「ＡＭ５：００」、「ＡＭ６：００」、・・・、「ＡＭ３：００」、「ＡＭ４：００」）でも、番組情報の取得成功率Ｐが９０％を超えなかった場合、ＣＰＵ１３１は、取得成功率記憶部１３８に基づいて、２４回算出した番組情報の取得成功率Ｐの中で最も高い取得成功率Ｐ（図１１では「８５．７％」）を特定し、その取得成功率Ｐの番組情報取得時刻（図１１では「ＡＭ３：００」）を取得時刻記憶部１３６に記憶させ、以後２１日間は、その時刻に番組情報の取得を実施する。
【００９７】
なお、ＣＰＵ１３１は、取得成功率Ｐが９０％に達しない限り、番組情報の取得成功率Ｐを算出する処理を連続して２４回ずつ繰り返し、２４回毎に、２４回算出した取得成功率Ｐの中で最も取得成功率Ｐが高い番組情報取得時刻を取得時刻記憶部１３６にセットする。連続して９０％を下回った２４回分の取得成功率Ｐのデータは、最も取得成功率Ｐが高い番組情報取得時刻が取得時刻記憶部１３６にセットされる度にクリアされるとともに、一度でも取得成功率Ｐが９０％を超えた場合にクリアされる。すなわち、取得成功率Ｐが一旦９０％を越え、その後、９０％を下回ると、ＣＰＵ１３１は、前述したように、再び番組情報取得時刻を１時間ずつ遅らせて、取得成功率Ｐが９０％以上となる時刻を探していくこととなる。
【００９８】
以上説明した本実施形態の放送受信装置１００によれば、ＣＰＵ１３１による取得プログラム１３９ａの実行により、一日に一回の予め定められた番組情報取得時刻に、番組情報の取得処理が実施され、記憶プログラム１３９ｂの実行により、取得結果記憶部１３７に、取得プログラム１３９ａの実行による番組情報の取得の可否が、番組情報取得時刻と対応づけられて記憶され、算出プログラム１３９ｃの実行により、番組情報取得時刻が所定回数経過する度に、取得結果記憶部１３７に基づいて、当該所定回数の前記番組情報取得時刻において番組情報の取得が可能であった取得成功率Ｐが算出され、判定プログラム１３９ｄの実行により、算出プログラム１３９ｃの実行により算出された取得成功率Ｐが所定の閾値Ｔ未満であるか否かが判定され、変更プログラム１３９ｅの実行により、判定手段により取得成功率Ｐが所定の閾値Ｔ未満であると判定された場合に、番組情報取得時刻が変更される。
すなわち、番組情報取得時刻が所定回数経過する度に、所定回数の番組情報取得時刻において番組情報の取得が可能であった取得成功率Ｐが算出され、算出された取得成功率Ｐが所定の閾値Ｔ未満である場合にのみ、番組情報取得時刻が変更される。これにより、番組情報の取得が可能である取得成功率Ｐが所定の閾値Ｔ以上となるまで、番組情報取得時刻が所定回数経過する度に番組情報取得時刻が変更されていくこととなるため、ユーザによる番組の視聴や放送信号の完全停波が行われる可能性が低く、番組情報の取得成功率Ｐがより高いタイミングを自動的に探し出して番組情報取得時刻として設定することが可能となる。また、ユーザの視聴習慣や放送信号の完全停波期間が変化して、一旦所定の閾値Ｔ以上となった取得成功率Ｐが所定の閾値Ｔを下回ることとなった場合であっても、新たな視聴習慣や完全停波期間における番組情報の取得が可能な確率がより高いタイミングが自動的に探し出されて番組情報取得時刻として設定されることとなる。すなわち、番組情報の取得が可能な取得成功率Ｐが所定の閾値Ｔ以上となる番組情報取得時刻を番組情報取得のタイミングとして設定することで、放送受信装置１００において、番組情報の取得を、より確実に効率良く実施することができる。
【００９９】
また、変更プログラム１３９ｅの実行により、判定プログラム１３９ｄの実行により確率が所定の閾値未満であると判定される度に、番組情報取得時刻が所定時間ずらされるとともに、判定プログラム１３９ｄの実行により取得成功率Ｐが所定の閾値Ｔ未満であると判定された回数が連続して２４／所定時間（回）に達した場合に、確率記憶プログラム１３９の実行により取得成功率記憶部１３８に記憶された２４／所定時間（回）の取得成功率Ｐの中で、最も確率が高い番組情報取得時刻に変更される。
すなわち、番組情報取得時刻として設定可能な全ての番組情報取得時刻に番組情報の取得処理を実施したにも関らず、番組情報の取得成功率Ｐが所定の閾値Ｔを越えない場合には、全ての番組情報取得時刻の中で最も取得成功率Ｐの高い番組情報取得時刻に変更されることとなる。したがって、番組情報の取得成功率Ｐが所定の閾値Ｔ以上である時刻が存在しない、或いは、探し出せなかった場合であっても、番組情報の取得が可能な可能性が相対的に高い適切なタイミングに、番組情報の取得を実施することができる。
【０１００】
また、算出プログラム１３９ｃの実行により、番組情報取得時刻が所定回数経過する度に、確率が算出されるため、ユーザの視聴習慣や放送信号の完全停波のタイミングを十分に且つ正確に反映して、番組情報の取得が可能な可能性がより高い適切なタイミングを探し出すことができる。
【０１０１】
また、算出プログラム１３９ｃの実行において、デジタル放送信号の受信レベルが所定のレベル未満のチャンネルの番組情報の取得の可否は、取得成功率Ｐの算出に際して除外される。そのため、番組情報の取得の可能性が元から低いチャンネルを、その他の理由で（例えば、ユーザが番組視聴中であった、ユーザによりＡＣアダプタが抜かれていた、放送波の完全停波中であった等の理由で）番組情報の取得が不可能であったチャンネルと区別することができ、ユーザの視聴習慣や完全停波期間上、番組情報の取得が可能な可能性が高いタイミングを、より正確に探し出すことができる。
【０１０２】
また、取得プログラム１３９ａの実行により、番組情報の取得処理が一日に一回実施され、所定回数は７×Ｎ（Ｎは自然数）回である。したがって、曜日による取得結果の偏りが無くなり、番組情報の取得が可能な可能性の高いタイミングを、更に正確に探し出すことができる。
【０１０３】
なお、本発明の範囲は上記実施形態に限られることなく、本発明の趣旨を逸脱しない範囲において種々の改良並びに設計の変更を行っても良い。
【０１０４】
例えば、ユーザがメニュー画面上で、所定の閾値Ｔを自在に設定できるように構成されていても良い。これにより、ユーザ自身が、番組情報取得時刻変更の条件を、より厳しく設定したり、より緩く設定することができる。例えば、所定の閾値Ｔを「１００％」に設定した場合には、１回でも番組情報の取得が不可能であると、番組情報取得時刻が変更されることとなる。
【０１０５】
また、例えば、上記実施形態では、番組情報取得時刻が所定回数経過する度に、所定回数分の番組情報取得の可否に基づいて、受信可能であった確率を算出する場合について説明したが、例えば、所定回数の番組情報取得時刻における番組情報取得の可否をＦＩＦＯ（First In, First Out）形式で記憶することとし、番組情報の取得処理が実施される度に、最後に到来した番組情報取得時刻を含む所定回数前までの番組情報取得時刻における確率を算出することとしても良い。
【０１０６】
また、例えば、上記実施形態では、所定回数の番組情報取得時刻における番組情報の取得成功率Ｐが所定の閾値Ｔを下回った場合に、番組情報取得時刻を１時間遅らせることとして説明したが、取得成功率Ｐが所定の閾値Ｔを下回った場合にずらす時間は１時間に限られず、より長い時間（例えば、２時間）又はより短い時間（例えば、３０分）単位で、番組情報取得時刻をずらすこととしても良い。また、番組情報取得時刻を遅らせる代わりに、早めることとしても良い。
【０１０７】
また、例えば、上記実施形態では、番組情報の取得処理を１日１回実施することとして説明したが、番組情報の取得は、必ずしも１日１回実施しなくとも良く、より短い周期又はより長い周期で番組情報の取得を実施することとしても良い。なお、取得時刻記憶部に、時刻情報のみならず日付情報を含む番組情報取得時刻を記憶するように構成しても良い。
【０１０８】
また、例えば、取得結果記憶部に、各チャンネルの番組情報の取得の可否とともに、各チャンネルの放送信号の受信レベルを記憶するように構成されていても良い。そして、ＮＧ−ＣＨに指定されたチャンネルの放送信号の受信レベルが所定の閾値以上となった場合に、ＮＧ−ＣＨの指定を解除するようにしても良い。また、例えば、ＮＧチャンネルの放送信号の受信レベルが所定の閾値以上である場合のみ、番組情報の取得が可能であるか否かの判断に際して、当該ＮＧ−ＣＨの受信の可否を考慮するように構成しても良い。
【０１０９】
また、例えば、上記実施形態では、番組情報取得時刻が所定回数経過する度に、所定回数の番組情報取得時刻における番組情報の取得成功率Ｐを算出する場合について説明したが、番組情報の取得処理を所定回数実行する度に、所定回数の番組情報取得処理における番組情報の取得が可能であった確率を算出するように構成しても良い。このように構成した場合には、放送受信装置の主電源がオフとされている期間における番組情報取得の結果を、番組情報の取得成功率Ｐの算出に際して除外することができる。
【符号の説明】
【０１１０】
１００    放送受信装置
５        チューナ（受信手段、取得手段）
７１      データデコーダ（取得手段）
１３１    ＣＰＵ（取得手段、記憶手段、算出手段、判定手段、変更手段、確率記憶手段）
１３７（１３７ａ〜１３７ｅ）  取得結果記憶部（記憶手段）
１３８    取得成功率記憶部（確率記憶手段）
１３９ａ  取得プログラム（取得手段）
１３９ｂ  記憶プログラム（記憶手段）
１３９ｃ  算出プログラム（算出手段）
１３９ｄ  判定プログラム（判定手段）
１３９ｅ  変更プログラム（変更手段）
１３９ｆ  確率記憶プログラム（確率記憶手段）
【図１】
2010187040.tif 000003
【図２】
2010187040.tif 000004
【図３】
2010187040.tif 000005
【図４】
2010187040.tif 000006
【図５】
2010187040.tif 000007
【図６】
2010187040.tif 000008
【図７】
2010187040.tif 000009
【図８】
2010187040.tif 000010
【図９】
2010187040.tif 000011
【図１０】
2010187040.tif 000012
【図１１】
2010187040.tif 000013